(57)【要約】【課題】伝送インターフェースにおいて、ＭＩＩとＲＭＩＩ仕様のモジュールが伝送路及び変換モジュールを介して接続され、且つ、ＭＩＩ仕様モジュールの伝送路に１０ＢＡＳＥ−５を接続する場合、ＲＭＩＩ仕様モジュールでコリジョンを認識して送信を中止する。【解決手段】変換モジュールに、ＲＭＩＩ仕様モジュールよりの送信信号を受けたとき一定時間受信不可信号を出力する受信不可判別部を設け、この判別部によりＲＭＩＩ仕様のモジュールよりの送信時には、ＲＭＩＩ仕様モジュール側での受信を防止してコリジョンを認識させないように構成したものである。【選択図】  図１
2004282410.tif 000002
【特許請求の範囲】
【請求項１】
伝送インターフェースにＭＩＩ仕様モジュールとＲＭＩＩ仕様モジュールを伝送路を介して接続し、且つ、両モジュール間に仕様変換用の変換モジュールを接続すると共に、ＭＩＩ仕様モジュールの伝送路に１０ＢＡＳＥ−５を接続した伝送インターフェースにおいて、
前記ＲＭＩＩ仕様モジュールよりの送信信号を受信したとき動作を開始し、所定時間信号を出力するタイマと、このタイマ信号受信を条件にＲＭＩＩ仕様モジュールの受信を阻止する受信不可判別部とを前記変換モジュールに設けたことを特徴とする伝送インターフェースの変換装置。
【請求項２】
前記受信不可判別部よりの受信不可信号は、前記変換モジュールに設けられるＭＩＩ仕様よりＲＭＩＩ仕様に変換する変換部に出力して受信を阻止することを特徴とする請求項１記載の伝送インターフェースの変換装置。
【請求項３】
前記タイマの所定時間は、送信信号が折り返してくる最大時間をカバーし、且つ、次回の正常信号が送られてくるまでの時間に設定したことを特徴とする請求項１又は２記載の伝送インターフェースの変換装置。
【請求項４】
前記変換モジュールと１０ＢＡＳＥ−５間の受信側伝送路にゲート部を設け、前記受信不可判別部よりの受信不可信号をこのゲート部に出力うるよう構成したことを特徴とする請求項１又は３記載の伝送インターフェースの変換装置。
【請求項５】
前記ゲート部は、ＭＩＩ仕様モジュールと１０ＢＡＳＥ−５間に設けたことを特徴とする請求項１又は３又は４記載の伝送インターフェースの変換装置。
【発明の詳細な説明】
【０００１】
【発明の属する技術分野】
本発明は、伝送インタフェースに係わり、特に機能の異なる仕様のモジュール間を接続するための変換装置に関するものである。
【０００２】
【従来の技術】
大規模集積回路（ＬＳＩ）を伝送モジュールとして使用し、ＬＳＩ間同士の伝送手段としての標準インタフェースには、ＭＩＩ（Ｍｅｄｉａ  Ｉｎｄｅｐｅｎｄｅｎｔ  Ｉｎｔｅｒｆａｃｅ）仕様のものがあるが、ＲＭＩＩ（Ｒｅｄｕｃｅｄ  Ｍｅｄｉａ  Ｉｎｄｅｐｅｎｄｅｎｔ  Ｉｎｔｅｒｆａｃｅ  ）なる仕様のものも規格化されて使用されている。
これらは一般に、リンク用ＬＳＩとＰＨＹ用のＬＳＩ間の伝送手段として使用され、図３（ａ）で示すようにＭＩＩ仕様のモジュール同士での伝送と、（ｂ）図で示すようにＲＭＩＩ仕様同士のモジュールでの伝送を行うのが一般である。
しかし、使用されているＬＳＩの仕様によっては、ＭＩＩ仕様モジュールとＲＭＩＩ仕様モジュール間で伝送を行う必要があり、そのような場合には（ｃ）図で示すようにＦＰＧＡ等の変換モジュール３を介在させて各インタフェース仕様に合わせて変換する必要がある。
【０００３】
このような接続構成は、例えば、監視制御ネットワークとして、インターネット技術の利用とオープン化対応でイーサネット（登録商標）採用により増加している。
イーサネット（登録商標）を監視制御分野に適用する場合、リアルタイム性が重要な要因の一つになっている。その場合、使用される回線ポート（ポートインターフェース）によってはフレーム衝突が発生するため、仕様変換のための変換モジュールを設けて衝突を防止している。
基本的に、ＲＭＩＩはＭＩＩ仕様の信号線を減らすことを目的として作られた仕様であるので、各インタフェース仕様に変換することは可能である。
【０００４】
【特許文献１】
特表２００２ー５４０７２５号  図１
【０００５】
【非特許文献１】
ＩＥＥＥ８０２．３ａｂ標準規格
【０００６】
【発明が解決しようとする課題】
インタフェースの仕様変換としては、一般的には、ＭＩＩ仕様からＲＭＩＩ仕様への変換と、ＲＭＩＩ仕様からＭＩＩ仕様への変換を送信側と受信側にてそれぞれ行って伝送している。
例えば図４（ａ）では、変換モジュール３にて送信側をＲＭＩＩ仕様からＭＩＩ仕様にて変換し、受信側をＭＩＩ仕様からＲＭＩＩ仕様にそれぞれ変換して伝送している。
【０００７】
図４（ａ）は、システムが例えばスイッチングハブの場合、モジュール１はイーサネット（登録商標）スイッチング部に相当し、リンク構成として複数の回線ポートが接続される。（ａ）図は代表して１個の回線ポートを示したもので、モジュール２以降が回線ポート内のモジュールである。４はコネクタ、５はハブ等の中継手段で、１０ＢＡＳＥ−Ｔ／１００ＢＡＳＥ−ＴＸのネットワークが接続されている。
この構成の場合には、送信ラインと受信ラインが別々なため、単純に双方向個別に変換すれば問題は生じない。
【０００８】
しかし、図４（ｂ）のように、回線ポートが１０ＢＡＳＥ−５に接続される場合には、インタフェース６（リピータ）以降は送信／受信ラインは１本で、完全な半二重方式となっている。そして、送信時に送信したデータは、リピータ６で必ず受信側にデータとして返還される。したがって、ＭＩＩ同士の接続時にはリンク１のＬＳＩの設定により、この返還データを無視することは可能であるが、図４（ｂ）のようにモジュール１のＬＳＩがＲＭＩＩ仕様の場合には、送信中に受信を認識するとコリジョン（ｃｏｌｌｉｓｉｏｎ  ）と認識し送信を停止してしまう。
【０００９】
その理由は、ＭＩＩ仕様の場合にはコリジョンを伝える信号は有しているが、ＲＭＩＩ仕様の場合には、送信中に返還された信号を受信有効信号と認識することでコリジョンを認識し、送信停止現象となる。
したがって、図４（ｂ）のような構成時には、受信は可能であるが、送信は一切出来ないという不都合が生ずる。
【００１０】
本発明が目的とするところは、異なる仕様のインタフェース間の接続で変換手段が必要となり、且つ、伝送路に１０ＢＡＳＥ−５を接続したときににおけるコリジョン認識を防止した変換装置を提供することにある。
【００１１】
【課題を解決するための手段】
本発明の第１は、伝送インターフェースにＭＩＩ仕様モジュールとＲＭＩＩ仕様モジュールを伝送路を介して接続し、且つ、両モジュール間に仕様変換用の変換モジュールを接続すると共に、ＭＩＩ仕様モジュールの伝送路に１０ＢＡＳＥ−５を接続した伝送インターフェースにおいて、
前記ＲＭＩＩ仕様モジュールよりの送信信号を受信したとき動作を開始し、所定時間信号を出力するタイマと、このタイマ信号受信を条件にＲＭＩＩ仕様モジュールの受信を阻止する受信不可判別部とを前記変換モジュールに設けたことを特徴とするものである。
【００１２】
本発明の第２は、前記受信不可判別部よりの受信不可信号は、前記変換モジュールに設けられるＭＩＩ仕様よりＲＭＩＩ仕様に変換する変換部に出力して受信を阻止することを特徴とするものである。
【００１３】
本発明の第３は、前記タイマの所定時間は、送信信号が折り返してくる最大時間をカバーし、且つ、次回の正常信号が送られてくるまでの時間に設定したことを特徴とするものである。
【００１４】
本発明の第４は、前記変換モジュールと１０ＢＡＳＥ−５間の受信側伝送路にゲート部を設け、前記受信不可判別部よりの受信不可信号をこのゲート部に出力うるよう構成したことを特徴とするものである。
【００１５】
本発明の第５は、前記ゲート部は、ＭＩＩ仕様モジュールと１０ＢＡＳＥ−５間に設けたことを特徴とするものである。
【００１６】
【発明の実施の形態】
図１は、本発明の実施形態を示す構成図で、図４（ｂ）同様にインタフェース１，２を構成するモジュールであるＬＳＩ仕様はそれぞれ異なっており、ここでは、モジュール１の仕様をＲＭＩＩとし、モジュール２の仕様をＭＩＩとする。また、インタフェース（リピータ）６には１０ＢＡＳＥ−５が接続されている。４はインタフェースであるコネクタ、１０は変換モジュールで、この変換モジュール１０は図１（ｂ）のように構成されている。
【００１７】
図１（ｂ）において、１１は第１変換部で、この変換部はモジュール１より送信されたＲＭＩＩ仕様の送信信号を受信し、ＭＩＩ仕様の信号に変換してモジュール２に送信する。また、この変換部１１は、モジュール１からの送信有効を受信したとき、その信号ａを受信不可判別部１２と、時限αに設定されたタイマ部１３に出力する。設定時限のαは、１０ＢＡＳＥ−５のリピータ６が送信データを折り返してくる最大時間をカバーする時間で、且つ、次回正常な受信データを送ってくる可能性の時間までの間になるよう設定される。これらの時間は、規格から容易に算出することが可能である。受信不可判別部１２は、送信有効信号ａを受信してからα時間だけ受信不可信号ｂを第２変換部１４に出力する。
【００１８】
第２変換部１４は、モジュール２より送信されたＭＩＩ仕様の送信信号を受信し、ＲＭＩＩ仕様の信号に変換してモジュール１に出力する。その際、受信不可信号ｂが入力されている場合には、モジュール２よりの受信を不可とする。
１５はコリジョン認識伝達部で、モジュール２からのコリジョンコールを判別してモジュール１に伝達する。
【００１９】
以上のように構成されたものにおいてその動作を説明する。
【００２０】
モジュール１から仕様ＲＭＩＩの送信信号が出力されると、変換モジュール１０ではＲＭＩＩからＭＩＩ仕様に変換してモジュール２に送信する。モジュール２ではコネクタ４、リピータ６を介して１０ＢＡＳＥ−５に送出するが、このモジュール２よりの送信信号は、リピータ６において直ちに折り返されモジュール２を通って変換モジュール１０にＭＩＩ受信信号として返還される。
【００２１】
一方、変換モジュール１０では、モジュール１からのＲＭＩＩ送信信号を受信したとき、第１変換部１１は送信有効信号ａをタイマ部１３に出力し、このタイマを駆動してαの一定時間だけ受信不可判別部１２に信号を出力する。
判別部１２は、タイマよりの信号をもとに第２変換部１４に対して受信不可信号ｂを発生し、モジュール２よりの信号の入力ゲートを閉じて信号の受信を不可能状態とする。したがって、返還モジュール１０は、第１変換部１１よりモジュール２に対して信号送信中はリピータ６よりの折り返し信号を第２変換部１４を介してモジュール１に送信することはなく、コリジョンの認識現象は生じない。
【００２２】
また、コリジョン認識伝達部１５は、モジュール２よりのコリジョンコール信号を判別しモジュール１に受信有効信号をアサートし、モジュール１のコリジョン認識を可能状態とする。
【００２３】
図２は他の実施形態を示したものである。同図（ａ）で示すように、モジュール２と変換モジュール１０’間、或いはモジュール２とコネクタ４間のように、モジュール１の受信ルートにゲートコントロール付きバッファ等のゲート部２０を設ける。このゲート部２０は、（ｃ）図で示すように、受信不可信号ｂが「有」のときにゲートを閉じて受信信号を後段に送出しないよう構成される。
また、変換モジュール１０’の受信不可判別部１２は、タイマ１３がキックされてからタイムアップするまでのα時間を判別し、受信不可信号ｂを出力するが、その出力信号は、ゲート部２０のゲートに印加される。
その他は、図１と同様である。
【００２４】
この実施形態では、モジュール１において、コリジョンを認識することなく正常に信号を送信できることは図１と同様であるが、モジュール２とリピータ６との間の受信路（図２では２と４間）にゲート部２０を挿入したことにより、ＭＩＩ仕様のモジュール２自体に余計な受信信号が到達しないので、モジュール２自体が送信時に自身への受信を確認することができる。したがって、正当な受信信号のみを変換モジュール１０’に送出でき、モジュール１はＲＭＩＩ仕様に変換された信号の受信が可能となる。
【００２５】
【発明の効果】
以上のとおり、本発明によれば、ＭＩＩとＲＭＩＩ仕様のモジュールが伝送路及び変換モジュールを介して接続され、且つ、ＭＩＩ仕様モジュールの伝送路に１０ＢＡＳＥ−５を接続する場合において、変換モジュールに受信不可判別部を設け、この判別部によりＲＭＩＩ仕様のモジュールよりの送信時には、ＲＭＩＩ仕様モジュール側での受信を防止してコリジョンを認識させないように構成したものである。
これによって、ＲＭＩＩ仕様モジュールではコリジョンを認識することなく、正常に信号を送信することを可能としたものである。
【図面の簡単な説明】
【図１】本発明の実施形態を示す構成図で、（ａ）はシステム図、（ｂ）は変換モジュールの構成図。
【図２】本発明の第２の実施形態を示す構成図で、（ａ）はシステム図、（ｂ）は変換モジュールの構成図、（ｃ）はゲート部の構成図。
【図３】従来の伝送インターフェースの構成図をしめしたもので、（ａ）はＭＩＩ仕様モジュール同士による接続の場合、（ｂ）はＲＭＩＩ仕様同士による接続場合、（ｃ）はＲＭＩＩとＭＩＩ仕様の接続図。
【図４】従来の伝送システムの構成図で、（ａ）はＭＩＩ仕様モジュールの伝送路に１０ＢＡＳＥ−Ｔ／１００ＢＡＳＥ−ＴＸの接続場合、（ｂ）はＭＩＩモジュールの伝送路に１０ＢＡＳＥ−５の接続図。
【符号の説明】
１…ＲＭＩＩ仕様モジュール
２…ＭＩＩ仕様モジュール
３…変換モジュール
４…コネクタ
６…リピータ
１０，１０’…変換モジュール
１１…第１変換部
１２…受信不可判別部
１３…タイマ
１４，１４’…第２変換部
１５…コリジョン認識伝達部
２０…ゲート部
【図１】
2004282410.tif 000003
【図２】
2004282410.tif 000004
【図３】
2004282410.tif 000005
【図４】
2004282410.tif 000006